(57)【要約】  【課題】振幅変調による送信電力制御において、音声信号のような変調信号の場合でも、十分な所期の尖頭電力を確保すること。  【解決手段】本発明の送信機は、変調信号で搬送波を振幅変調する振幅変調回路と、該振幅変調回路で振幅変調された信号を後述する利得制御信号に応じて増幅する可変利得増幅器と、該可変利得増幅器から出力される送信出力電力の変化を検出して出力電力検出信号として出力する検出手段とを備えるとともに、前記変調信号を整流した後平滑化して直流化された信号を出力する直流化手段と、前記信号を基準電圧に加算して出力制御信号として出力する加算手段と、前記信号と前記出力電力検出信号とを比較して、送信出力電力が前記信号に基づいた電力になるように前記利得制御信号を出力する比較手段とを備えている。【選択図】      図１
2005318394.tif 000002
【特許請求の範囲】
【請求項１】
変調信号で搬送波を振幅変調する振幅変調回路と、該振幅変調回路で振幅変調された信号を後述する利得制御信号に応じて増幅する可変利得増幅器と、該可変利得増幅器から出力される送信出力電力の変化を検出して出力電力検出信号として出力する検出手段とを備えるとともに、
前記変調信号を整流した後平滑化して直流化された信号を出力する直流化手段と、
前記信号を基準電圧に加算して出力制御信号として出力する加算手段と、
前記信号と前記出力電力検出信号とを比較して、送信出力電力が前記信号に基づいた電力になるように前記利得制御信号を出力する比較手段とを備えたことを特徴とする送信機。
【発明の詳細な説明】
【技術分野】
【０００１】
本発明は、振幅変調方式の送信機における送信出力制御技術に関するものである。
【背景技術】
【０００２】
音声信号を振幅変調しているときには、ＣＷ（電信）形式における無変調送信時の送信電力に比べて実質的な平均電力が上昇するのが特徴である。
原理的には、無変調時の送信キャリア信号の振幅電圧を「１」とした場合、変調率を最大である100％にした場合の送信キャリア信号の振幅電圧は「２」の２倍となる。
したがって、振幅電圧をＶ、電力をＰ、負荷をＲとすると、Ｐ＝Ｖ2／Ｒという関係式から、尖頭電力は４倍となる。
【０００３】
図２に、一般的な送信電力制御機能を備えた送信機の構成例を示した。図２において、
100はＣＷ（電信）形式とＡＭ（音声振幅変調）形式の電波を送信可能な送信機である。
111は送信キャリア信号を発振する電圧制御発振器（ＶＣＯ）、112は変調信号としての音声信号を増幅する増幅器、113は前記増幅器112の出力で前記送信キャリア信号を振幅変調する振幅変調器である。
115は可変利得増幅器であり、前記振幅変調器113の出力がバッファ114を介して入力され、後述する利得制御信号によって利得が可変制御される。
116は検出回路であり、前記可変利得増幅器115から出力されてアンテナ117へ供給される送信出力電力の一部を取り出して検波することによって、前記送信出力電力の変化を検出して直流化した出力電力検出電圧として出力する。
【０００４】
120は基準電圧設定回路であり、送信出力電力を決定するための基準電圧を所望のレベルに設定して出力する。
122は比較手段としてのＡＰＣ（自動電力制御）増幅器であり、前記出力電力検出電圧と前記基準電圧とを比較して、出力電力検出電圧が基準電圧と一致するように利得制御信号を出力する。
【発明の開示】
【発明が解決しようとする課題】
【０００５】
ところで、音声信号を振幅変調すると、無変調の状態と比較すると送信される平均電力が増大する。図２の例の送信機100においても、検出回路116にて検出される出力電力検出電圧が増加するので、一定電圧である基準電圧との差が発生する。その結果、ＡＰＣ増幅器122から出力される利得制御信号に基づいて前記可変利得増幅器115から出力される送信出力電力が抑制される。このようにして、送信出力電力制御機能が働いて、送信出力電力を予め設定された設定値に制御するように動作するのである。その結果、尖頭電力が抑制されることになる。
したがって、所期の尖頭電力を維持するためには、送信出力電力制御機能の応答性を極端に遅くすることぐらいしか対策がない。しかし、その場合でも、連続した音声信号を変調する場合には、いずれそのうちに送信出力電力制御機能が動作して電力制御されてしまう。
また、実際問題として、送信出力電力制御機能の応答性を極端に遅くすることは、実質的には、送信出力電力制御がリアルタイムで制御できないことになり好ましくない。
以上の理由から、従来の送信出力電力制御方式では、十分な所期の尖頭電力を確保することは非常に困難であった。
【０００６】
そこで、本発明は、振幅変調による送信電力制御において、音声信号のような変調信号の場合でも、十分な所期の尖頭電力を確保することを可能とする技術の提供を目的としてなされたものである。
【課題を解決するための手段】
【０００７】
本発明にかかる送信機においては、
変調信号で搬送波を振幅変調する振幅変調回路と、該振幅変調回路で振幅変調された信号を後述する利得制御信号に応じて増幅する可変利得増幅器と、該可変利得増幅器から出力される送信出力電力の変化を検出して出力電力検出信号として出力する検出手段とを備えるとともに、
前記変調信号を整流した後平滑化して直流化された信号を出力する直流化手段と、
前記信号を基準電圧に加算して出力制御信号として出力する加算手段と、
前記信号と前記出力電力検出信号とを比較して、送信出力電力が前記信号に基づいた電力になるように前記利得制御信号を出力する比較手段とを備えるという手段を講じた。
【発明の効果】
【０００８】
本発明では、
変調信号で搬送波を振幅変調する振幅変調回路と、該振幅変調回路で振幅変調された信号を後述する利得制御信号に応じて増幅する可変利得増幅器と、該可変利得増幅器から出力される送信出力電力の変化を検出して出力電力検出信号として出力する検出手段とを備えるとともに、
前記変調信号を整流した後平滑化して直流化された信号を出力する直流化手段と、
前記信号を基準電圧に加算して出力制御信号として出力する加算手段と、
前記信号と前記出力電力検出信号とを比較して、送信出力電力が前記信号に基づいた電力になるように前記利得制御信号を出力する比較手段とを備えたので、
変調信号によって送信出力電力が増加して前記比較手段に入力される出力電力検出信号が増加したとき、
前記比較手段に入力される他方の信号も、変調信号を直流化した信号と基準信号とを加算したものであるので、前記出力電力検出信号と同様に増加する。
従って、前記比較手段から出力される利得制御信号は大きくは変化しない。よって、可変利得増幅器から出力される送信出力電力は抑制されない。
以上のようにして、音声信号のような変調信号で搬送波を振幅変調する場合でも、送信出力電力の平均電力が増加して尖頭電力が抑圧されることを防止し、十分な所期の尖頭電力を確保することが可能となるのである。
【発明を実施するための最良の形態】
【０００９】
以下に、本発明にかかる送信機を、その実施の形態を示した図面に基づいて詳細に説明する。
図１のブロック図において、
１はＣＷ（電信）形式とＡＭ（音声振幅変調）形式の電波を送信可能な送信機である。
11は送信キャリア信号を発振する電圧制御発振器（ＶＣＯ）、12は変調信号としての音声信号を増幅する増幅器、13は前記増幅器12の出力で前記送信キャリア信号を振幅変調する振幅変調器である。
15は可変利得増幅器であり、前記振幅変調器13の出力がバッファ14を介して入力され、後述する利得制御信号によって利得が可変制御される。
16は検出回路であり、前記可変利得増幅器15から出力されてアンテナ17へ供給される送信出力電力の一部を取り出して検波することによって、前記送信出力電力の変化を検出して直流化した出力電力検出電圧として出力する。
【００１０】
18は増幅された変調信号を整流する整流回路であり、19は整流された変調信号を平滑化して直流化して出力する平滑回路である。これらの整流回路18と平滑回路19によって直流化手段が構成されている。
20は加算手段としての加算回路であり、直流化された変調信号と、送信出力電力を決定するための基準電圧とを加算して出力制御電圧として出力する。前記基準電圧は、基準電圧設定回路21において所望のレベルに設定される。
22は比較手段としてのＡＰＣ（自動電力制御）増幅器であり、出力制御電圧と出力電力検出電圧とを比較して、出力電力検出電圧が出力制御電圧と一致するように利得制御信号を出力する。なお、前記出力電力検出電圧に含まれる包絡線成分等の短周期変動を除去するための平滑手段としてのコンデンサを備えている。
【００１１】
以上の構成において、
音声信号を振幅変調すると、無変調送信時に比べて送信される送信出力電力が増加するので、前記検出回路16から前記ＡＰＣ増幅器22の一方の入力端子へ入力される出力電力検出電圧が上昇する。
一方、前記音声信号は前記増幅器12によって増幅されたあと、整流・平滑化されて基準電圧と加算されるので、前記ＡＰＣ増幅器22の他方の入力端子へ入力される出力制御電圧も上昇する。
従って、音声信号が入力されても前記可変利得増幅器15では送信出力電力は抑制されない。即ち、前記加算器20にて音声信号が基準信号と加算されているので、音声信号の入力によって送信出力電力が増加しても、ＡＰＣ増幅器から出力される利得制御信号は変化せず、送信出力電力が抑制されることが防止されるのである。
【実施例１】
【００１２】
この実施例では、前記ＡＰＣ増幅器の応答性能に併せて、前記平滑回路の平滑量を設定する。即ち、前記ＡＰＣ増幅器の応答が遅い場合には前記平滑回路の平滑量を多くし、前記ＡＰＣ増幅器の応答が早い場合には前記平滑回路の平滑量を少なく設定した。そして、前記ＡＰＣ増幅器の応答速度を上げても、異常発振の発生や制御が不安定になることもない。
従って、実際の送信機に対応しやすく、また、十分な尖頭電力を確保できるので、機器仕様としての送信電力の尖頭電力を十分余裕を持って確保することができる。
また、前記基準電圧設定回路21は、基準電圧を連続的に可変もしくは所定の複数の設定値の何れかに選択的に切り換えできるように構成した。
【図面の簡単な説明】
【００１３】
【図１】本発明にかかる送信機の実施の形態の構成を示した構成図である。
【図２】従来例の一般的な送信電力制御機能を備えた送信機の構成図である。
【符号の説明】
【００１４】
１  送信機
13  振幅変調器
15  可変利得増幅器
16  検出回路
18  整流回路
19  平滑回路
18、19  直流化手段
20  加算回路、加算手段
22  増幅器、比較手段
【図１】
2005318394.tif 000003
【図２】
2005318394.tif 000004